(57)【特許請求の範囲】
【請求項１】
生体から取得される特徴情報を用いて個人の認証を行うために用いられる認証装置であって、
筐体と、
それぞれ認証を行う個人の指が提示される前記筐体上の複数の領域と、
前記複数の領域のそれぞれと対応して設けられた複数の光源と、
前記光源から照射され前記複数の領域の各々に提示された指を透過した透過光を前記筐体内に導くべく、前記複数の領域のそれぞれに形成された複数の開口部と、
前記複数の領域のいずれかと対応し、前記対応する領域から導かれた前記透過光を撮像するよう、前記筐体内部に設置された複数の撮像装置と、
前記複数の領域に提示された指の各々間を仕切るように設けられた仕切りと、
前記複数の領域のそれぞれから導かれた前記透過光が、導かれた領域に対応する前記撮像装置以外の撮像装置へ到達することを前記筐体内部で遮断する間仕切りと、
を有し、
提示される指幅方向における、隣り合う前記仕切り同士の間に前記開口部は夫々配置され、
前記仕切りにより、前記透過光が他の指が提示された領域に対応する前記開口部から前記筐体内に導かれることを遮断することを特徴とする認証装置。
【請求項２】
前記仕切りと前記間仕切りが一体として形成されていることを特徴とする請求項１記載の認証装置。
【請求項３】
前記仕切りは、前記筐体上に突出して形成されていることを特徴とする請求項１記載の認証装置。
【請求項４】
前記光源は赤外光を発光する光源であって、前記撮像装置は、対応する前記領域に提示された指の内部の静脈に対応する像を撮像することを特徴とする請求項１記載の認証装置。
【請求項５】
前記複数の開口部のうちの１つが提示される指の延伸方向に、他の前記開口部よりも突出していることを特徴とする請求項１記載の認証装置。
【請求項６】
前記複数の領域に、前記複数の指を提示するための複数の指置き台が設置されていることを特徴とする請求項１記載の認証装置。
【請求項７】
前記複数の指置き台が、指の形状に合わせた曲面を有することを特徴とする請求項６記載の認証装置。
【請求項８】
前記光源を支持する支持部を備え、前記支持部が前記複数の領域それぞれの少なくとも一部を覆うことを特徴とする請求項１記載の認証装置。
【請求項９】
前記光源が支持部によって、前記仕切りより高い位置に支持されていることを特徴とする請求項８記載の認証装置。
【請求項１０】
前記光源が前記仕切りに隣接して設けられ、前記光源からの光の一部が隣接する仕切りを介して隔てられた領域に提示された前記指に照射され、前記光源からの光の他の一部が前記隔てられた領域に照射されることを前記仕切りによって遮断することを特徴とする請求項１記載の認証装置。
【請求項１１】
前記提示された複数の指に向けて前記開口部側から照射するよう配置された反射光源と、
前記複数の指の表面を撮像する第二の撮像装置と、
前記撮像装置にて撮像された画像を処理する演算部と、
を有し、
前記演算部は、前記第二の撮像装置によって取得された複数の部分画像を合成し、前記指の全体の画像を形成することを特徴とする請求項１記載の認証装置。
【請求項１２】
前記筐体が、手指が握り込む形状の携帯端末であることを特徴とする請求項１記載の指静脈認証装置。
【請求項１３】
前記撮像装置にて撮像された画像を処理する演算部を有し、
前記演算部は、前記複数の指の撮像状態を検知し、認証が正しく行えない前記指の本数に応じてセキュリティレベルを動的に変更することを特徴とする請求項１記載の認証装置。
【発明の詳細な説明】
【技術分野】
【０００１】
本発明は指静脈認証装置に係わり、利便性を維持しながら認証精度を向上するための改良技術に関するものである。
【背景技術】
【０００２】
様々な生体認証技術の中でも、指静脈は高精度な認証を実現できるものとして知られている。指静脈認証は、身体内部の指静脈パターンを使用するために優れた認証精度を実現し、かつ指紋認証に比べて偽造・改ざんが困難であることにより高度なセキュリティを実現できる。
【０００３】
この種の指静脈認証の従来例として、例えば、特許文献１に記載の生体認証装置が知られている。この装置は、指の静脈を同時に撮影するために、装置内部に指を入れ、指の甲側から赤外線を照射し、指の腹側へ透過した光を撮影する装置が示されている。
【０００４】
また、特許文献２には、上方から赤外線を照射する装置が示されている。
【０００５】
【特許文献１】特許公開２００４−７８７９１号公報
【特許文献２】特許公開２００２−８３２９８号公報
【発明の開示】
【発明が解決しようとする課題】
【０００６】
認証精度向上のために複数の指を利用する場合の一手法として、単一の指を撮影する従来装置を用いて複数の指を順次撮影する方法がある。しかしながらこの方法では指を繰り返し提示する必要があり、利便性が損なわれる問題がある。また、特許文献１に示される装置では、各々の指の提示位置を規定する構造が存在しないため、指を一定の場所に誘導することができず、登録時の状態を再現することが困難であった。さらに複数の指に透過光を照射する際に、指を透過しない漏れ光が発生しやすく、血管のコントラストを劣化させ、認証精度を高めることができなかった。また、従来の単一指を提示する装置を複数台並べた場合、たとえば特許文献２で示される、上方から赤外線を照射する装置においては、複数の穴にそれぞれの指を同時に入れる必要があるため使いにくく、利便性が損なわれる。また、特許文献１で示される、光源が指の両側面に位置する開放型の装置では、複数の指を同時に提示できるように並べて配置した場合、光源の設置上、装置間の距離を広く取らなければならない。従って指を大きく広げないと提示できず、手の小さな人では利用できない。
【０００７】
そこで本発明では、複数の指を利用した指静脈認証装置において、高い認証精度を保ちながらも複数の指の提示を容易とする指静脈認証装置を提供することを目的とする。
【課題を解決するための手段】
【０００８】
この目的を達成するために、本発明は、指に向けて光を照射する光源と、前記指からの光を撮像する撮像素子と、前記撮像された画像を処理する画像処理部とを備える複数指静脈認証装置であって、第1の指の前後方向の提示位置を規定する指置き台と、全ての指の横方向の位置を規定する指置き台とを具備することを特徴とするものである。
【発明の効果】
【０００９】
本発明によれば、オフィスビル等の入退出管理をはじめとする大規模な認証システムに適用できる高精度な指静脈認証装置を提供することができる。
【発明を実施するための最良の形態】
【００１０】
本発明の実施形態について説明する。
第１図は、本発明の第１の実施の形態の認証システムの構成図である。
認証システムは、入力装置２、認証処理部１０、記憶装置１４、表示部１５、入力部１６、スピーカ１７及び画像入力部１８を含む。
入力装置２は、光源２３及び撮像装置９を含む。
光源２３は、例えば、赤外線ＬＥＤであり、入力装置２の上に提示された指１に赤外光を照射する。撮像装置９は、入力装置２に提示された指１を撮像する。このとき、指１、撮像装置９、光源２３、は複数具備されている。
画像入力部１８は、入力装置２の撮像装置９で撮像された画像を、認証処理部１０へ入力する。
認証処理部１０は、ＣＰＵ１１及びメモリ１２及び種々のインタフェース（ＩＦ）１３を含む。
ＣＰＵ１１は、メモリ１２に記憶されているプログラムを実行することによって各種処理を行う。メモリ１２は、第２図で後述するが、ＣＰＵが実行するプログラムを記憶する。また、メモリ１２は、画像入力部１８から入力された画像を一時的に記憶する。
インタフェース１３は、認証処理部１０の外部の装置と接続する。具体的には、インタフェース１３は、入力装置２、記憶装置１４、表示部１５、入力部１６、スピーカ１７又は画像入力部１８等と接続する。
記憶装置１４は、利用者の登録データを予め記憶している。登録データは、利用者を照合するための情報であり、例えば、指静脈パターンの画像等である。指静脈パターンの画像は、指の掌側の皮下に分布する血管（指静脈）を暗い影のパターンとして撮像した画像である。
表示部１５は、例えば、液晶ディスプレイ等であり、認証処理部１０から受信した情報を表示する。
入力部１６は、例えば、キーボード等であり、利用者から入力された情報を認証処理部１０に送信する。スピーカ１７は、認証処理部１０から受信した情報を、音声で発信する。
【００１１】
図２は、複数の指を同時に撮影する指静脈認証装置の一実施例である。図２(a)は上面図、(b)は正面図、(c)は側面図である。
装置上面には、指静脈を撮影する開口部１０１、指先の指置き台１０２、指の根元の指置き台１０３、側壁１０４とが備えられている。ここではこれらを指提示部と呼ぶ。本実施例では、３本の指を同時に置くことができるように、指提示部が3つ設置されている。認証精度や使い勝手に応じてこれらの数を増減させてもよい。これらの指提示部の間隔は、どのような手の大きさでも自然に置くことのできる距離を考慮して、近接する位置に設置されている。また、中央の指提示部は、その両隣の指提示部よりも前方に位置する。指先の指置き台１０２の位置は、奥行き方向の距離がどれも同じであり、一列に並べられている。特に、中央の指提示部の指先の指置き台は他のものよりも大きく強調されている。さらに、指先側には指に向けて照射する光源２３が設置されており、これらは光源支持部１０５によって固定されている。光源は、指からはみ出さないように、できるだけ照射幅の狭い、ビーム状の光を照射することが望ましい。これにより、不要な外乱光の発生を抑止でき、血管のコントラストを高めることができる。本実施例では、一つの光源支持部１０５に４つの光源が具備されているが、指に対して十分な透過光を照射できるものであればその個数は限定されない。また、これら3本の指を撮影するために、それぞれの開口部の直下には撮像装置９が設置されている。図２(b)に示されるように、それぞれの撮像装置９は間仕切り１０６によって四方が囲まれた空間に設置されている。
【００１２】
図３は図２の入力装置２に指１が提示されている状態を示している。利用者は、中央の開口部１０１に中指を置く。このとき、たとえば右手を提示した場合は右側の開口部には薬指が、左側の開口部には人差し指が、自然な形で提示される。このとき指先の指置き台１０２に指先を設置するが、一般的には中指が最も長く、中央の指先の指置き台１０２に中指の指先を設置する。これにより、中指の前後方向の位置が定まる。その両隣の指は中指よりも短く、それらの指先の指置き台１０２には届かない。しかし中指の前後方向の位置はすでに固定されているため、両隣の指の前後方向もそれに合わせて固定されることになる。また、全ての指は側壁１０４あるいは指の根元の指置き台１０３によって左右方向の位置が規定される。特に側壁１０４は指１が左右方向にずれないように上方に突出している。これらにより、3本の指の位置は提示するたびに毎回一定の位置に固定される。
【００１３】
また、本実施例では中央の指置き台を大きくすることで視覚的あるいは構造的に強調している。これにより、一般的に最も長い中指が中央の指置き台に誘導されやすくなり、利用者が使いやすいインターフェイスを提供できる。
【００１４】
本実施例においては、中央の開口部１０１が両隣の開口部よりも前方にずれている。これは概ねすべての指において第一関節付近を撮影するためである。第一関節は比較的表皮が薄く、内部の血管パターンが鮮明に観察されやすいため、この部位を利用することで高精度な認証が実現できる。中指の第一関節は両隣の指よりも前方に位置するため、中央の開口部を前方にずらすことで、概ねすべての指の第一関節を撮影することが可能となる。
【００１５】
もし中指以外の指が最も長い場合は、いずれの指提示部にも指先の指置き台１０２が具備されているため、その指が最も載置しやすい位置の指提示部に存在する指先の指置き台に指先を合わせることができる。
【００１６】
このように、指置き台の位置は、奥行き方向に一列に揃った状態であり、最も長い指の先端のみを指置き台に置くことで指の位置が決定し、その他の指の先端位置は、最も長い指の先端位置に応じて固定される。この構造により、中指、人差し指、薬指の長さや、それらの長さの差によらず、同時に3本の指を提示することが可能となる。
【００１７】
図２(c)に例示したように、光源２３は、指先側の斜め上方より照射される。静脈の撮影は、静脈を観測する位置に対して正反対の方向から透過した光を観測することで、最もコントラストの高い画像が得られる。しかしながら、完全に正反対の位置から光を照射するためには、開口部の直上に光源を配置する必要が生じる。開口部の直上にこのような構造物が存在すると、指が置きにくくなると同時に指を置く場所が視覚的に遮られるため利用者の心理的抵抗感を高めることに繋がる。そこで本発明では光源２３を指先側に配置し、斜め上方から指を照射している。この構造により、指提示の際の心理的抵抗感を緩和すると共に、透過光の利点であるコントラストの高い撮影が可能となる。これらによって高い利便性と高精度認証とが実現できる。
【００１８】
また、透過光はできるだけ指に均一に照射され、強い光ができるだけ効率よく指を透過することが望ましい。本実施例では、標準より太めの指を想定し、その指の甲側の表面に対して約３０度の入射角となるように、複数の光源２３aと光源２３bとによって、それぞれ根元側付近と開口部の中心位置とを狙って照射している。入射角を小さくすると、光源の設置高さが低くなるため装置を小型化できるが、一つの光源が照射する範囲が指の先端から根元側まで広範囲になるため、入射効率が低下しコントラストの高い鮮明な画像が得られにくくなる。逆に入射角を大きくすると、狭い範囲をピンポイントで照射することができ入射効率は高まるものの、光源の位置を高くする必要が生じる。これにより装置が大きくなり、さらに光源から指までの距離が増大することで光の減衰が大きくなり光量が弱まる。従って、装置の大きさ、光源に用いる発光素子の光量の強さや照射光の広がり角などに合わせて設定する。また、指の厚みは人によって異なることから、複数の光源２３aと光源２３bはそれぞれ独立に制御できる構成となっており、できるだけ全体的に均一の明るさになるように自動調整する。
【００１９】
静脈を撮影する部分の指表面に反射光が照射されると、指表面のしわが強調され、静脈の画質が劣化する。また、指を透過しない光が直接カメラに入り込むと、部分的に輝度が上昇し、画素値が飽和することで周辺の静脈が観測できなくなる。さらにこの光は装置内部で散乱し、指の表面で反射し画質が劣化する。これらの不要な外光を防止するために、本発明では開口部１０１を指幅に対して十分狭くなるように設計し、指が開口部を塞ぎ込むことで直接外光が入り込まないようにしている。また開口部１０１の両側にはそれぞれ側壁１０４を備えている。この側壁１０４は指の左右方向の位置合せに利用されるだけでなく、外光などの不要な光が指１の側面に照射されないよう、外光を遮断する。これらの組み合わせにより、撮影する指の表面に不要な反射光が発生しにくくなると共に、直接カメラに光が入り込みにくくなる。また、不要な強い外光が指の側面を照射し、指の片面を極端に明るくすることで画像の半面が不要に飽和することが防止できる。従って、高いコントラストで血管を撮影することが可能となる。
【００２０】
また、３つの開口部の間隔に位置するものは側壁１０４のみである。側壁１０４は幅を狭くしても機能し、さらにそれ以外の構造物を設置する必要がないため、開口部同士を近接して配置することが可能となる。従って、手指の小さい利用者でも無理なく指を提示することが可能である。
【００２１】
指の怪我などにより指で塞がれない開口部が存在することを考慮し、その開口部から侵入した外光が別の指の撮影に悪影響を与えない構造が必要となる。図２(b)に示すように、本発明ではそれぞれの開口部１０１の下側の空間は間仕切り１０６によって取り囲まれており、その内側に撮像装置９が存在する構造となっている。間仕切り１０６は遮光壁としての機能を有する。したがって、直上にある開口部以外から進入した光の影響を受けることなく、指静脈の撮影が可能となる。
【００２２】
本実施例で示すように、複数の指を同時に設置する場合は、指の長軸を基軸とした回転（指の転がり；ローリング）が発生しにくい。これにより、撮影される血管の位置が安定するため、認証精度を高めることが可能となる。
【００２３】
図４は複数の指静脈を用いた認証装置の処理ブロックを示している。この図を用いて基本的な認証処理フローについて説明する。初めに、指が提示されたことを検知する、指検知処理(S101)を実施する。次に、静脈を撮影するために適した光量を照射するための光量調整処理(S102)を実施する。その後、指の位置ずれなどを補正する位置補正処理(S103)と、静脈の特徴抽出処理(S104)を行う。最後に、登録された特徴データとの照合処理(S105)を実施し、登録者であるかを判定する。
【００２４】
指検知処理の具体例としては、光源２３を点滅させて撮像装置９から得られる画像の輝度値を調べ、光源２３と撮像装置９との間に遮蔽物が入った場合の輝度値の低下の度合いを調べる。あるいは指先の指置き台１０２あるいは指の根元側の指置き台１０３にタッチセンサ等を具備し、この接触を検知することで実施しても良い。
【００２５】
このとき、指が静止したことを検知する処理を合わせて実施することができる。後述する光量調整処理と平行して、指の静脈を撮影し、後述する特徴抽出処理と照合処理を連続的に行うことで、指の位置ずれ量をリアルタイムに計測する。一定の時間、指の位置ずれ量が僅かであると判定できる場合は指が静止されたものとして、後段の処理フローに進む。
【００２６】
光量調整処理では、撮影された画像の輝度値が一定値になるようにフィードバック制御を行う。基本的には、初期光量を照射した際の画像の輝度値から、目標とする画像の輝度値が得られる光量値を推定する手法を用いて、収束を高速化する。
【００２７】
本発明においては、図２で示したとおり光源が指先側上方に設置されており、指先側に対して指の根元側は光源から距離が遠く、また指の太さが増すため、指の根元側に十分な光が照射できずに暗くなる場合がある。これに対し指先側と指の根元側の2方向を向いた光源２３b、２３aを設置し、それぞれを独立制御することで対応する。すなわち、指の根元側を照射する方向を向いた光源２３aの光量を、指先側を照射する光源の光量より強く照射するように制御することで、指全体を均一に照射でき、輝度むらの無いコントラストの高い血管の撮影を可能としている。しかしながら、このように複数の独立した光源を用いる場合、片方の光量制御が他方の光量制御に影響を及ぼす。
【００２８】
図５(a)に示すように、指先を照射する光源２３bと根元を照射する光源２３aの２つが存在する場合、撮影される指画像１２０を半分に分割して、各光源２３a、２３bがそれぞれの画像上の領域１２０a、１２０b内の輝度値を独立して目標値に制御することを考える。指先側の光源２３bが弱いと判定された場合はこの光量を強くするが、その影響は指の根元側の領域１２０aにも及ぶ。それに応じて、根元側の光源２３aを弱く制御する必要が生じるが、この影響が指先側の領域１２０bにも及ぶ。このように、それぞれの光源がそれぞれの領域に相互に影響を与え、最終的に制御が不安定となる。
【００２９】
そこで、このような領域を分割する際に、相互的に及ぼす影響のパラメータを設定することを考える。ここではこれを結合係数と呼ぶ。指先側の領域１２０bは、指先側の光源２３bによる影響と、指の根元側の光源２３aにより及ぼされる影響に結合係数を掛けたものとの線形結合で表現する。従って、２つの領域は、どちらの光源からも影響を受けるが、その結びつきの度合いが異なっていると考えることができる。このような状態は連立方程式で表すことが出来る。図５(b)は、領域１２０aが、光源２３aと光源２３bより受ける明るさの影響を図示したものである。σaaは光源２３aが領域１２０aに及ぼす影響の度合いを示す結合係数、σabは光源２３bが領域１２０aに及ぼす影響の度合いを示す結合係数を示している。またPa、Pbは各光源２３a、２３bの光量、b0は光量が０のときの画像の明るさのオフセット値、Ia、Ibはそれぞれ領域１２０a、１２０bの平均輝度値、ｆ、ｆ’は光源の強さと画像上の輝度値の明るさとの関係を示す関数であり、図５(b)はこれらの関係を一次式で近似している。実際の画像上の領域１２０aの明るさは、両方の光源の影響を合計したものに、画像の明るさのオフセット値b0を加えたものとなる。図５(c)はこの状態を定式化したものである。
【００３０】
式ｆ，ｆ’を一次式（ｆ＝ax、ｆ’＝a’x）とした場合、PとIとを調べることで未知の定数a、a’が求まる。この方程式は連立方程式として解くことが可能である。定数a、a’が決まると、Ia、Ibを目標輝度値とするための光量Pa,Pbの具体値が逆算できる。最終的に得られる光量値は、両方の領域の輝度値を最適に制御するような値として決定することができる。
【００３１】
結合係数は基本的に装置固有の値であるため、事前に最適値を実験的に算出しておき、メモリ１２に格納しておく。そして、光量調整を実施する際に、ＣＰＵ１１は結合係数の具体値を参照すると共に画像内の平均輝度値Ia，Ibを求め、上述の連立方程式の解a、a’を計算する。これにより次に照射すべき光量Pa、Pbが得られるため、常に適切な強さの光を照射することができる。
【００３２】
この方式は、複数の撮像装置と光源を備えた装置の光量調整にも適用できる。たとえば図２において、中央の撮像装置は中央の光源だけの影響を受けるわけではなく、両隣の光源の影響も受けることになる。この状況において最適な光量調整を実施するために、両隣の光源が中央の撮像装置に与える影響を結合係数として求めておき、同様に連立方程式を解析することで最適光量を得ることができる。なお、各撮像装置を１つずつ時分割で切り替えて動作させ、その動作時間の間は対応する光源のみを発光させることで、結合係数を考慮せずに他の撮像装置に影響を与えない光量制御も可能となるが、切り替え時間のオーバヘッドが撮影の遅延を発生させるため、高速な動作切り替えが可能な撮像装置や光源が必要となる。
【００３３】
次に、指の位置ずれ補正の具体例について述べる。カメラは2次元の映像を撮影するため、指の位置ずれが発生するとパターンが異なって見える。安定した認証を実現するためには、指を指置き台に設置することで、一定の位置に保つ必要がある。たとえば、指の置く角度は側壁１０４によって一定の方向になるように保たれ、また指は指置き台に接触させて置くことで、指１と撮像装置９との距離が一定となり拡大率が保たれる。しかしながら、指そのものは弾性体であり、指を置くときの圧力の違いなどによって必ずしも毎回ずれのないように置くことができるとは限らない。指の置かれる角度がずれると、血管パターンの特徴量の照合処理の際に登録時のパターンとの一致率が低下する。そこで、血管パターンの特徴量の角度のずれを補正する必要がある。
【００３４】
開口部１０１は外光を遮断するために指幅に対して狭くなるように設計されている。従って、指の輪郭を撮影することが出来ず、指の置かれている角度に応じて血管の特徴パターンを補正することが出来ない。この問題点に対し、本発明では輪郭情報を用いない回転補正を実施する。
【００３５】
この回転補正の手法としては、ある中心点について様々な回転角でパターンを回転し、すべての回転パターンと登録パターンとを照合し、最も一致率の高い結果を照合の結果とする方法や、血管パターンの線成分を方向ベクトルに分解し、平均ベクトルを一定の方向に向けるように回転する方法などの手法を用いることができる。特に後者はただ1枚の回転パターンを生成するため、認証処理を高速化しやすく、また別の指との照合結果が劣化しにくくなる利点を有するが、画像上のノイズに弱い場合がある。従って、両手法を組み合わせて実施することでより効果を高めることができる。
【００３６】
拡大率の変動についても同様に、いくつかの拡大・縮小パターンを生成しておき、登録パターンと全ての拡大・縮小パターンとを照合することで、最も一致率の高いパターンとの照合結果を採用することで拡大率の変化を考慮した照合が可能となる。
【００３７】
特に本実施例の構造においては、指先は装置に接触しているが指の根元側が装置から離れてしまうことで、画像内の部分によって拡大率の変化量が異なることが想定される。このような拡大補正についても、指先側と指の根元側との拡大率を滑らかに変化させたパターンを複数枚生成することで、パターンの変形を吸収した照合が可能となる。
【００３８】
前述のとおり静脈パターンの方向により指の方向を一定に補正する方法のほか、指の表面の情報を用いて指の方向を一定に補正しても良い。指の表面の情報は静脈に比べてピッチが狭く、局所的な領域を観察するだけでその方向を補正できる。また、指の関節部分のしわが観測できる場合はこの線の方向を一定に合わせるように補正することも可能である。指表面を撮影するために、装置内部に反射光源を設置しても良い。
【００３９】
複数の指を撮影する場合、各々の指の位置ずれや角度のずれの方向は概ね一致する傾向にある。従って、ある１つの指の血管パターンについてのみ登録パターンとの回転角や拡大率のずれ量を求めておき、それ以外の指については、その結果を基準として、従来のずれ量の推定する範囲を狭く限定することで、全体的に高速な処理が可能となる。
【００４０】
高速処理の一実施例を以下に示す。まず、中央の開口部に置かれた指のみについて、登録データとの照合を実施する。このとき、上述の通り、入力パターンを回転・拡大縮小することで、様々な回転角・拡大率を有する複数のパターンを生成する。生成する枚数は、回転角や拡大率の最大値や分解能によって増減するが、これらはシステムが許容する回転・拡大のずれ量に応じて設定する。その後、登録データと最も良く一致する生成パターンを選び出すことで、入力パターンの回転角と拡大率を得る。この値をメモリ１２に格納しておく。続いて、残りの開口部に置かれた指の照合を実施する。中央の開口部の照合と同様に、様々な回転角・拡大率を有するパターンに変換し、登録データと最も良く一致する生成パターンから照合結果を得る。このとき、中央の開口部に置かれた指の回転角と拡大率の結果を利用して、生成するパターンの回転角と拡大率の最大値を狭く限定し、生成する枚数を減らすことが可能となる。なぜなら、中央の指が回転・拡大している場合は残りの指もほぼ同じ角度・大きさで回転・拡大していることが想定されるからである。もしこの想定に反して、残りの開口部の指が中央の指と異なる回転角・拡大率を有する場合は、指に無理な力が加わっている、あるいは大きな変形を伴って提示されている可能性が高く、この場合は元々正しく照合できないため、このような状況を考慮する必要性は低い。従って、本手法により照合の精度をほぼ劣化させること無く、生成する回転・拡大パターンの個数を少なく抑えることができ、指の回転・拡大ずれに強い照合処理手法を高速化することが可能となる。
【００４１】
特徴抽出処理としては、線パターンを強調する処理として、マッチドフィルタによる方法や線を逐一追跡する方法、輝度プロファイルの窪みを検出する方法などを用いることができる。
【００４２】
次に照合処理について述べる。照合処理は、記憶装置１４内に登録された照合データと入力された照合データとをＣＰＵ１１により比較し、類似度を評価することで行う。登録データと入力データとを重ね合わせ、血管である部分とそうでない部分とが重なった画素数を数えることで、両データ間にどれだけ相違があるかを算出する。統計的手法に基づき事前に設定した類似度の閾値を記憶装置１４あるいはメモリ１２に格納しておき、この値に応じて、ＣＰＵ１１はパターンが一致したか否かを判定し、一致が認められた場合は認証処理を実施する。
本実施例では３本の指を撮影するため、登録データも３本の指データを一組として取り扱う。比較の際は、１本ずつを別途比較し、それぞれの指に対する類似度を評価する。このとき、３本の類似度の平均値を最終的な判定基準に用いても良く、各指において一致するか否かを判定しておき、一致と認められる指の本数に応じて最終的な判定を実施しても良い。
【００４３】
特に後者の手法においては、単独指の認証結果を組み合わせることで認証精度を柔軟に制御することができる。例えば、提示した複数の指の全てが登録データと一致することで認証と認める場合では、本人拒否率が指の本数倍だけ劣化する一方、他人受入率が指の本数乗だけ小さくなり精度向上する効果を持つ。さらに、複数の指の中で、怪我などにより正しい静脈パターンが撮影できない指が存在する場合でも、提示するN本の指のうちM本で登録データとの一致が確認できれば認証するように設定することで認証可能となる。なお、Nの値は装置固有であるため固定値となるが、Mの値はシステムのセキュリティポリシーによって動的に変更できる。
【００４４】
また、撮影できない指が存在する場合の処理については、通常の認証処理に対してセキュリティレベルが低下する。そこで、撮影できなかった指の本数に応じて、認証のための閾値レベルを変更しても良い。撮影できない指の本数が多いほど閾値レベルを厳しく設定することで、認証システムのセキュリティレベルを高く保つことが可能となる。
【００４５】
大規模個人認証システムにおいて高い利便性を維持するためには、ＩＤ番号等の入力を不要とする１−Ｎ認証を実施する必要がある。これに対し、認証精度を高めるだけでなく、照合処理の速度を高速化する必要がある。上記実施例においては、3本の指を入力するが、全登録指を逐一照合する場合は登録データ数に比例する処理時間が掛かる。これに対し、不要な照合処理を省略し、認証精度を維持しながら照合処理を高速化する手法が有効となる。この手法の一実施例について以下に示す。ただし、登録データ内に複数の候補が出現する場合は最も確度の高い登録データを認証対象とする。
【００４６】
まず、3本の指のうち、第一の指だけに注目して、全登録データの第一の指と入力された第一の指との照合を行う。もし、本システムが3本中全てが一致した場合のみ認証を行う設定であれば、この照合で一致しない登録データに対しては、この時点で認証されることはなくなるため、認証の候補から除外し、第二の指以降の照合処理を省略する。もし３本中2本以上の一致で認証を行う設定であれば、続いて第二の指の照合を実施する。このとき、第一、第二の指が共に一致しない場合は、第三の指の照合処理を省略することができる。もし3本中1本でも一致すれば認証する設定であれば、第三の指の照合処理まで省略せずに実施する必要がある。なお、これらの処理の途中に認証の条件を満たす登録データが出現した場合でも、最も確度の高いものを見つける必要があるため、上述の省略可能なケース以外の処理は打ち切らずに最後まで照合を行う。この手法により、3本中1本でも一致すれば認証する以外の設定であれば、処理を大幅に打ち切ることができ、高速化が見込まれる。例えば、3本中2本の一致で認証する場合、第一、第二の指の照合で候補を数％程度に絞ることができれば、全照合した場合の２／3程度の処理時間で完了できる。
【００４７】
また、第一の指の照合を実施した際、データの相関の高い順に登録データを並べ替え、相関の低いデータの照合を打ち切ることで、処理を大幅に高速化できる。ただし、この場合は僅かに認証精度が劣化するが、統計的にほとんど影響がないように打ち切りデータ数を設定することで、全体的な認証精度をほぼ維持しながら高速化が可能となる。また、認証する候補が１つでも見つかった時点で認証処理を完了してもよい場合であれば、並べ替え処理により候補が先頭に出現する確率が高くなっているため、高速な認証処理が実現できる。
【００４８】
さらに、１本の指の照合データ量を圧縮したデータを利用することで処理の高速化が可能となる。たとえば指静脈データを空間的に縮小することで、元の静脈の形状を概ね維持しながらデータ量の圧縮が可能となる。このデータで照合処理を実施し、明らかに相関の低いデータを打ち切り対象にすることで、上述の手法よりもさらに高速化が可能となる。このとき、データ量を削減しているため照合精度そのものは低下するが、打ち切り対象データを決定する際に、圧縮前のデータによる認証精度を十分に確保できる閾値を統計的に決定しておくことで、最終的な認証精度を維持することができる。なお、候補として残された登録データについては、圧縮前のデータによって最終的に認証できるか否かを確認することで、より確実な認証処理を実施する。
【００４９】
以上のように、指ごとの照合による打ち切りと、相関値に応じたデータ並べ替えと、圧縮データの利用により、複数指を用いた高速・高精度な大規模１−Ｎ認証システムが実現できる。
【００５０】
図６は、装置表面に設けられた溝により指の位置を規定する指静脈認証装置の一実施例である。入力装置２の表面に、断面が滑らかな曲線となる溝を設け、溝の凹部１５１に開口部１０１を具備する。このとき、指１は自然な形で溝の凹部に載置される。さらに、溝の凹部からせり上がった凸部が図２における側壁１０４の役割を果たし、指１の左右方向の位置ずれを防止すると共に、横からの外光を遮断する。特に溝の断面が指の断面の形状に合わせた曲線であれば、指の太さに関わらず指の位置決めを安定して実施できる。
【００５１】
図７は指の輪郭が検出できる複数指静脈認証装置の一実施例である。図２で示した実施例においては、開口部１０１からは指の輪郭が観測できず、指の回転や拡大率の変動など、指の位置ずれを正確に補正することが出来なかった。これに対し、図７に示す装置では、指の輪郭を観測する開口部１６１と、指の輪郭を観測する撮像装置１６２とが、指先側と指の根元側に具備されている。この開口部１６１は指幅に対し十分広く開いており、指の輪郭が確認できる。指の輪郭をより鮮明に観測するために、開口部１６１の内側に指の表面を照らす反射光源を具備してもよい。静脈を撮影する撮像装置９とは別に指の輪郭を観測する撮像装置１６２を具備したのは、輪郭を撮影する開口部１６１から外部の不要な光が撮像装置９に進入するのを防ぐためである。撮像装置を別途用意し、その間に間仕切り１０６によって不要な光を遮蔽し、静脈画像の画質劣化を防いでいる。
【００５２】
なお、不要な光の進入の影響が弱い場合は、撮像装置９と指の輪郭を観測する撮像装置１６２を共通化してもよい。これによりコストを削減することができる。
【００５３】
図８は、前述の図７で示した装置の指輪郭検出の一処理例を示している。図８(a)は従来技術で用いられている指静脈画像１７０である。この画像には指の輪郭１７３が撮影されており、指の平行位置や角度の情報を得ることができるため、一定の位置、角度になるように補正することが可能となる。図８(b)は、図２で示した本発明の実施例における開口部１０１から撮影される指静脈画像１７１を示している。この開口部１０１は指幅より狭く設計されているため、指の輪郭は撮影できず、正確な指の位置補正は難しい。図８(c)は、図７で示した認証装置で撮影される指静脈画像１７１と、指の輪郭を観測する撮像装置１６２により得られる指の輪郭の画像１７２を示している。図８(b)の画像に加えて指の輪郭の画像１７２が撮影されることにより、指の位置を把握することが可能となる。図８(d)は指の輪郭の画像１７２の内部から指輪郭１７３を検出した例である。指の輪郭は、指の映像と背景の映像との境界で定義できる。このとき、この画像内にあるエッジを抽出することで、指の輪郭の位置が獲得できる。特に、指の輪郭の撮影をする際、光源２３を時系列的に点滅させ、点灯時と消灯時の輪郭の画像の差分画像を求めることで指のエッジ部分を強調することができる。このようにして得られた指の輪郭１７３より、指の中心線１７４を求める。この線が垂直になるように静脈画像１７１を回転することで、指の回転補正が可能となる。また、指輪郭１７３の幅に応じて画像の拡大率を正規化することで、指の拡大率補正が可能となる。
【００５４】
図９は上部に光源を具備した複数指静脈認証装置の一実施例である。図９(a)は上面図、(b)は正面図、(c)は側面図である。光源２３を上方から照射するために、装置には上蓋１８０が設置されており、その内部に光源２３が並べて設置されている。指１上方から光を照射することができるため、指の静脈画像のコントラストが向上し、また効率よく光を照射することが可能となる。また上部からの光を遮光する効果を有するため外光に強くなる。
【００５５】
本実施例においては、中央の指の指先の指置き台１０２は上述の実施例と同様に設置されているが、その両隣の指先の位置合わせ用の溝１８１は細長い溝状の窪みとなっている。これは、上蓋１８０の設置により視覚的に位置合わせすることが難しく、図２で示した実施例よりもさらに指の左右方向の位置ずれが発生しやすくなることを考慮したものであり、溝を掘ることによって左右方向の位置ずれの発生をより効果的に抑制することができる。このとき前後方向の位置については固定されない。
【００５６】
上蓋１８０は、指先付近をの上方を覆う形で設置されており、概ね開口部１０１の指先側半面のみを覆っていることから、指全体を覆い隠す従来装置の形状と比較して開放的な使用感が得られる。特に、図９(c)で示されるように、中央の指の指先の指置き台１０２が、装置上方の斜め４５度の角度から視覚的に確認することができるように設計されている。このため、利用者は指の置く位置を容易に確認することができるため、利便性が向上する。
【００５７】
上蓋１８０に設置された光源２３は、図９(c)で確認できるように、開口部１０１の中央を照射するよう、僅かに角度を持たせて設置されている。これは、上蓋１８０が指先付近の上方までを覆っており、開口部１０１の直上に光源を設置することができないためである。開口部１０１の直上に光源がある場合は、撮影される画像の輝度値のむらを少なくできるた。よって光源２３の設置角度を指の根元方向に傾け、輝度むらを低減し画質を向上することが可能となる。
【００５８】
また上蓋１８０は光源２３を具備するほか、外部からの外光を遮蔽する効果も有する。そのため、上蓋１８０は赤外光を遮光し、かつ赤外光を反射しない材質とする。さらに、開口部１０１は、たとえば図２で示した実施例とは異なり、開口幅を広げ、指の輪郭までを十分に撮影できるようにしている。これは、上蓋１８０の設置により外光の進入が低減できるため性能劣化が少なくなることを利用し、指の輪郭を撮影して指位置の正確な補正を実現する効果を得るためである。
【００５９】
図１０は、図９で示した実施例において、指の輪郭を検出する処理例を示している。図１０(a)は、図９における撮像装置９で撮影された指１の画像である。ここでは、指先側が図面の上側とする。このとき、指１の後ろ側には上蓋１８０が画面の上半面に映っている。上蓋１８０は外光を遮断するほか赤外光を反射しない材質であるため、画像上では黒く映る。画面の下半面には装置の外部の背景が映り込む。また、指１は光源２３により照射されているため明るい物体として映る。
【００６０】
このとき、画面の上半面には、指の輪郭が画像のエッジとして鮮明に映ることになる。そこで図１０(b)に示すように、画像の上半面についてのみ指の輪郭１７３を検出する。この情報に基づき指の中心線１７４を求め、指の位置と回転角の正規化を実施することで、位置ずれに強い照合が可能となる。特に、指の根元側の輪郭は指の回転ずれにより撮影範囲からはみ出すことがあるが、本実施例のように指先側のみの輪郭を使って補正を行うことで、はみ出しにくい安定した情報のみで回転補正が実施できるため、より回転にロバストな照合が可能となる。
【００６１】
図１１は複数の指を装置に提示し、指をスライドさせることで指全体の血管パターンを撮影する、複数スイープ型指静脈認証装置の一構成例である。図１１(a)は上面図、(b)は正面図、(c)は側面図、(d)は一つの指に着目したときの光の照射の様子を示している。光源２３は指の根元側の指置き台１０３の側面に設置され、斜め下から指１を照射する。指の表面に直接光源の光が当たると指の表面のしわが静脈画像に映り込んでしまうため、ここでは側壁１０４の反対側から光を発光し、逆側にある指１を照射する。側壁１０４により、指の低い位置の表面への光の照射を防いでいる。この様子を図１１(d)に示す。
【００６２】
また、静脈画像を撮影するための開口部１０１は指の長さ方向に対して短くなっており、装置が小型化できる。利用者は指をスライドさせて全領域を提示することで、指全体の静脈画像が獲得できる。また、指の根元の指置き台１０３と開口部１０１との間には、指表面を観測するための開口部２００と、その内側に指表面を撮影するための反射光源２０１が設置されている。さらに指表面を観測する開口部２００の直下には、この開口部２００を通して得られる指表面の撮像装置２０２が設置されている。そして、静脈画像を撮影するための撮像装置９と指表面の撮像装置２０２との間に間仕切り１０６が設置されている。
【００６３】
利用者は、指根元の指置き台１０３の窪みに指を乗せる。前述の通り指検知処理が実施されると、スライド開始ランプ２０３が点灯する。利用者は全体的に手前に引くようにして指をスライドさせる。このとき、光源２３の点灯と共に反射光源２０１も点灯する。開口部１０１からは部分的な指画像が観測されるが、時系列的に観測位置がずれて提示され、最終的には指全体の部分画像が得られる。これらを合成することで、指全体の指静脈画像を獲得し、認証を実施する。
【００６４】
部分的な指静脈画像から全体的な指静脈画像を獲得するためには、指のスライドの際に位置ずれ量を正確に求めることが必要となる。そこで本発明では、指表面の撮像装置２０２から獲られる指の表面の情報を利用する。指の表面に分布するしわなどの凹凸パターンは、静脈パターンに対して密である。スライドさせた位置ずれ量をパターンから推定する際に、静脈パターンを利用するより、指の表面の凹凸パターンを用いた方が、パターンのピッチが細かいためより正確な位置ずれ量を計測することが可能となる。特に、装置の開口部をより小型化する場合は、限られた狭い領域の中から位置合せの特徴を獲得する必要が生じ、より有利となる。
【００６５】
図１１(c)は指静脈と指の表面とを同時に撮影するための内部構造を示す。指の表面を撮影する反射光源２０１が指表面を照射し、指表面の撮像装置２０２で指の表面のしわを撮影する。これと同時に、光源２３が指１を照射し、その内部散乱光が指１の表面を透過して開口部１０１から装置内部に到達し、撮像装置９により撮影される。これにより指静脈が撮影できる。このとき、反射光源２０１が直接撮像装置９に届かないように、間仕切り１０６によって遮光している。
【００６６】
指の表面を撮影する開口部２００は、装置を小型化する関係上、できるだけ面積を小さくすることが望ましいが、小さくすることによって貼り合わせの精度をできるだけ劣化させないようにする必要がある。本実施例では、この開口部２００を指の長さ方向には狭く、指の幅方向には長い長方形とすることで、装置の奥行きを小さくしている。ただし貼り合わせ精度を維持するためには、指表面の撮像装置２０２のフレームレートを高める必要がある。
【００６７】
一方、この開口部２００の向きとして、指の長さ方向に長く、指の幅方向に狭くしても良い。この場合は、開口部２００は指の輪郭側に寄せておき、血管パターンの撮影に影響を与えない場所に位置させることで、装置を小さく維持できる。指をスライドさせる向きは指の長手方向であり、開口部２００が長手方向に開口しているため指表面の凹凸の貼り合わせ可能な領域が広く取れ、スライドさせる速度が速くても、正しい貼り合わせが可能である。ただし、静脈の撮影用の開口部１０１の幅をその分だけ狭める必要があるため、若干認証精度が劣化する。
【００６８】
図１２は、部分的に撮影された指静脈の貼り合わせの手順である。上述の通り、指の静脈の部分画像２１０と共に、指の表面の部分画像２１１がペアとなって獲得できる。このとき、指表面の部分画像２１１に対して指表面のしわの強調処理を実施する。次のタイミングで獲得される指表面の部分画像２１１は僅かに位置がずれている。図１２(a)と(b)は、僅かにずれた位置を撮影している過程を示している。このとき、指表面のしわの強調処理後の画像同士を比較して、位置ずれ量を算出する。この情報に基づいて、指の静脈の部分画像２１０を張り合わせる。張り合わせは、新しい領域の部分画像を上書きしてもよく、また画像の重なり合う部分を平均処理してもよい。平均処理する場合は僅かに処理時間が掛かるものの滑らかな繋ぎ合わせが可能となる。このようにして、図１２(c)に示すような指の全体的な指静脈画像２１２を得ることができる。これに対して指静脈の特徴抽出処理を実施することで、認証処理が実現できる。
【００６９】
指の表面のしわの強調処理は、一般的に知られているエッジ強調フィルタ、マッチドフィルタ、あるいは輝度断面プロファイルの窪み検出などの手法が利用できる。このとき、画像上のしわの典型的な幅に基づきアルゴリズムパラメータを調整することで最適な強調処理が可能となる。また、特定の方向のみのしわを強調する処理を複数の方向について独立に行うことで、各方向に対する位置ずれ量を正確に求めることができる。
【００７０】
図１１に示した指の根元側の指置き台１０３は指１を圧迫する可能性があるため、指静脈を観測するための開口部１０１から距離を離し、その間にできた空間に指表面を観測する開口部２００を設置している。これにより、静脈の圧迫による情報の劣化を防ぎながら省スペース化が可能となる。
【００７１】
なお、図１１に示した指表面の撮像装置は、一般的に用いられている指紋センサを用いても良い。
【００７２】
図１３は、指の腹側から指を照射し、指の側面の静脈を撮影する複数指静脈認証装置の一実施例である。図１３(a)は上面図、(b)は正面図、(c)は側面図、(d)は１つの指に着目した指の照射原理を示している。本実施例では、２本の指を置く例について示しているが、１本、あるいは３本以上の指を提示する場合についても同様に実施可能である。
【００７３】
利用者が１本目の指の指先を、指先の指置き台１０２に置き、もう１本の指の指先を、指先の位置合わせ用の溝１８１に置く。長さの異なる指を置くため、１本の指先の前後方向の位置は、指先の指置き台１０２によって規定されるが、もう一方の指の前後方向の位置は規定せず、指先の位置合わせ用の溝１８１によって左右方向の位置だけを規定する。
【００７４】
このとき、光源２３が指１の腹側に密着する。これにより、光源２３からの光が指１の内部に効率良く入射される。指の内部で光が散乱し、指の外へ放射される光のうち、指の側面側から放射した光を撮像装置９により撮影することで、指の側面の静脈パターンが観測できる。図１３(d)に示すように、光源２３は指の中心軸よりも撮像装置９から離れた位置に設置されている。これにより、撮像装置９が撮影する指の表面と光源２３との距離が遠くなり、血管部分を透過せずに撮像装置９に届いてしまう光の量が血管部分を透過する光の量に比べて減少するため、血管画像のコントラストを高められる。また光源２３は１本の指に対し２つ設置されているが、これは画像を一様に照らすためであり、必要に応じて１つとしても良く、更に個数を増やして密に並べても良い。
【００７５】
なお、図１３に示した実施例は、指先の指置き台１０２、指先の位置合わせ用の溝１８１を外し、装置内部に図１１で示した指表面の撮像装置２０２を組み合わせることで、スイープタイプの装置とすることも可能である。これにより装置の小型化が実現できる。
【００７６】
図１４は、前述の図１３で示した複数指静脈認証装置のうち、撮像装置９をフラットセンサとして薄くした場合の一実施例である。フラットセンサは非常に薄く、感度を有する面を外側に向けて２枚のフラットセンサを密着することで、両側を撮影することができる薄型フラットセンサを構成することができる。本実施例における撮像装置９はこのような両面に感度を持つ装置であり、薄型であるため、両方向の指の側面を撮影するような撮像素子を指の間の狭いスペースに設置することができる。従って、指を大きく開くことなく、指を容易に提示することが可能である。図１４(d)は、１本の指の撮影に注目したとき、指の右側面を撮影する例を示している。指１の中心より左側にある光源２３を点灯し、右のある光源２３を消灯する。このとき指の右側面の血管を透過した光を指１の右側にある撮像装置９が撮影する。次のタイミングでは、左側の光源２３は消灯し、右側の光源２３を点灯、そして指の左側面を、指１の左側にある撮像装置９が撮影する。このように、指の両側面を交互に撮影することで、より多くの静脈を撮影することができ、認証精度を高めることができる。
【００７７】
なお、図１４に示した実施例は、指先の指置き台１０２、指先の位置合わせ用の溝１８１を外し、装置内部に図１１で示した指表面の撮像装置２０２を組み合わせることで、スイープタイプの装置とすることも可能である。これにより装置の小型化が実現できる。
【００７８】
図１５は、複数の指に対し指の側面側の斜め上方から光を照射する複数指静脈認証装置の一実施例である。本実施例は２本の指の間に光源支持部２２０を設置し、その上部に光源２３を両方向の指に対して斜め上方より照射する角度で設置し、指の側面上方から光源を照射している。ただし光源支持部２２０の部材は、不要な外光の進入による画質劣化を発生させないように、赤外光の透過・反射が発生しない材質とする。光源と撮像する部位は、指に対して正反対となる位置が最もコントラストの高い静脈画像を得ることができる。そこで、図１５(b)に示されるように、光源２３と撮像装置９とが指１の置かれる位置に対して正対するような角度で配置されている。従って、指の腹側に対してやや斜め方向の静脈パターンを観測することになる。また、側壁１０４や光源支持部２２０により外光の進入が抑制されているため、開口部１０１は図２で示したような指の幅より狭いものにするのではなく、指幅よりも広い構造とすることができる。これにより、コントラストの高い指静脈画像が広い面積において獲得できると共に、指の輪郭を撮影できるため、指の位置補正を正確に実施できる。
【００７９】
装置への置き易さを考慮するために、光源支持部２２０は薄い構造とし、これに伴い光源２３も小さな素子を利用することで、指がこれらの構造物にぶつからないようにする。
【００８０】
撮影される画像に映るものとしては、指１とその外側の背景となる。指１の輪郭の外側の背景については、半面は装置外部が映り込むが、その反対側の背景には光源支持部２２０が映り込む。そこで指の回転補正を行うために、常に暗く映る光源支持部２２０の映り込みと指１との境界の輪郭のみを検出することで、安定した指輪郭検出が可能となる。それに伴い、この輪郭情報に基づいて指の回転補正を実施することで、安定した指の回転補正が実現できる。
このように、本実施例では、指を置く場所が開放的であり、さらに高画質な静脈の撮影が可能となることから、利便性と精度を向上することができる。
【００８１】
なお、図１５に示した実施例では2本の指を提示できる構造を示したが、3本以上としても良い。この場合、光源支持部２２０はできるだけ薄い構造とすることで、手の小さな人でも無理なく指を提示することが可能となる。
【００８２】
また、図１５に示した実施例は、指先の指置き台１０２、指先の位置合わせ用の溝１８１を外し、装置内部に図１１で示した指表面の撮像装置２０２を組み合わせることで、スイープタイプの装置とすることも可能である。これにより装置の小型化が実現できる。
【００８３】
以上のように、本発明によって、複数の指の静脈を用いて従来より飛躍的に認証精度を向上させながらも、置きやすく利便性の高い認証装置が実現できる。本装置は、住宅の扉、オフィスビルなどの特に利用者の多い入退室管理システム、空港などの重要管理施設におけるアクセス管理、ブラックリストなどの登録リストに該当する人物であるかを検索するシステムなどに利用できる。特に、認証精度の高さを利用して、利用者がICカードやパスワードの入力を行うことなく、指だけで簡単に認証処理が実施できる１−N認証システムを構築することが可能となり、利便性が向上する。また、上述の通り、スイープタイプの認証装置とすることで装置の小型化が可能となり、たとえばパソコンのキーボードなどに組み込むことでPCログインやネット決済などにも応用できる。さらにはATMやクレジット決済など、金融関係のシステムに適用することも可能となる。
【００８４】
図１６は、携帯端末を握り込んだ状態で複数の指静脈を撮影し認証を行う複数指静脈認証装置の一実施例である。携帯端末３０１には、CPU３０６、メモリ３０３、無線通信ユニット３０５が具備されている。さらに、指１を置くための溝３０４が２つ設置されており、本実施例においては２本の指を撮影することができる。図１６(b)に示されるように、指を置く溝３０４の中央部に光源２３が設置されている。図１６(c)のように利用者は携帯端末３０１を溝３０４に合わせるように握り込む。このとき光源２３は指の腹側を照射する。この状態で、別途設置されている読み取り端末３１０に指１の背中側を接触させる。タッチセンサ３１２がこの接触を感知すると、CPU３１５の指示に基づいて撮像装置３１３が指の甲側の静脈を撮影する。この撮像装置３１３は指の本数だけの数を備えても良く、解像度や画角に応じて１つとしても良い。撮影された複数の指の甲の静脈画像をCPU３１５で処理することで、メモリ３０３に事前に登録されている静脈パターンとの一致を判定する。登録データはメモリ３０３に登録されているが、照合処理のために無線通信ユニット３０５と無線通信ユニット３１４とが暗号通信を行い、登録データを読み取り端末側に送り込んでも良く、逆に照合データを携帯端末側に送り込んでCPU３０６が照合処理をしても良い。前者の場合は携帯端末に高機能なCPUが不要であり、後者の場合は登録データの漏洩が無くセキュリティ面で有利となる。
【００８５】
撮影の際に光源２３の光量が最適でない場合は、無線通信ユニット３０５と無線通信ユニット３１４とが通信を行い、光源２３の光量値を携帯端末側へ伝えるか、あるいはゲインコントローラ３１６が最適な明るさとなるように画質を調整する。
【００８６】
このように、複数指の甲側の静脈を用いた認証を実施することで、携帯端末のような小型装置においても高精度でかつ利便性の高い認証が実現できる。認証精度が高まることから、携帯端末を利用した決済などへの応用が考えられる。
【００８７】
図１７は、携帯端末を握り込んだ状態で複数指の静脈を撮影し認証する、複数指静脈認証装置の一実施例である。図１７(a)に示すように、携帯端末４００は、人差し指と中指とが握り込めるグリップ４０１を具備し、グリップ４０１には指を置く溝３０４が複数存在し、その溝の中心位置に光源２３が設置されている。光源２３は指が提示されることを検知するために点灯あるいは点滅を行い、撮像装置９で得られる画像を評価することにより光源を遮る物体が入ったことを検知し、その時点で認証を開始する。図１７(b)に示すように、利用者は携帯端末４００を握り込むと、自然な形で人差し指１aと中指１bとをグリップ４０１に掛けることができる。この状態で光源２３を点灯させると、赤外光は指１a、１bを透過し、撮像装置９に到達する。このとき得られる指静脈画像が図１７(c)に示されている。指１aと１bの甲側と側面の静脈が同時に撮像装置９により４０２ａ，４０２bとして撮影される。この画像には２本の指の輪郭が撮影されており、エッジ検出処理などにより２本の指領域に分割する。これは後述の通り、１本の指を単独で照合することにより、怪我などの例外に対応するためである。それぞれの指に対し、登録されている２本の指静脈のデータとの比較を行い一致を判定する。両方の指が共に登録データとの相関が高い場合は認証するが、たとえば指を怪我して包帯を巻いているような状態では、両方の一致が得られない。そこで、片方のみ相関が高いと判定された場合でも認証を行う。しかし、その場合の閾値をやや厳しく設定することで、総合的なセキュリティレベルを下げることなく、怪我などの例外を対処することが可能となる。
【００８８】
図１７に示す実施例は、例えばテレビやゲーム機器のリモコンなどに適用することが可能となる。これにより、個人の嗜好に合った番組を選択できるようになるなどのサービスを実施できるほか、ゲーム機器においてはユーザ認証などが可能となる。あるいは静脈パターンのランダム性を利用したゲームなどに応用することができる。たとえば、登録時の状態に対し再現良く置かれた場合はゲームを有利に進めることができる、静脈の部分的な形状を数値化しゲーム内で利用される属性値を決定する、静脈の部分的な形状の類似性を評価することで相性を判定する、などに利用できる。
【００８９】
グリップ部に押しボタンを具備することで、ボタンの押下により認証開始のトリガーとすることができる。これにより、待機時の光源２３の消費電力を低下できると共に、利用者が簡単な操作で認証を開始できる。当然のことながら、リモコンボタンの押下を認証開始のトリガーとしても良い。またライフル銃や拳銃に取り付けて、引き金に指がかかったのを認証トリガとしてオーナ認証を行い、不正使用を防止するようにしても良い。
【００９０】
また、これをオフィス、自動車などの扉に設置しても良い。グリップを握り込む動作だけで鍵を開錠することが可能となり、利便性が向上する。
【図面の簡単な説明】
【００９１】
【図１】指静脈認証装置の機能ブロック図である。
【図２】複数指静脈認証装置の第一の形態の概略図である。
【図３】図２に係わる認証装置の使用時の図である。
【図４】指静脈認証装置の概略処理ブロック図である。
【図５】複数の光源が一つの画像内の領域の光量を調整する方式を示した図である。
【図６】複数指静脈認証装置のインターフェイスの概略図である。
【図７】指輪郭を撮影できる複数指静脈認証装置の概略図である。
【図８】図７に係わる指の位置補正手順の概略図である。
【図９】上部に光源を有する複数指静脈認証装置の概略図である。
【図１０】図９に係わる指の輪郭検出手法の概略図である。
【図１１】指をスライドして撮影する複数指静脈認証装置の概略図である。
【図１２】図１１に係わる指の部分領域の合成手順の概略図である。
【図１３】指の側面に分布する静脈を撮影する複数指静脈認証装置の概略図である。
【図１４】指の側面に分布する静脈を撮影する複数指静脈認証装置の概略図である。
【図１５】指側面の斜め上方から光を照射し指の腹側を斜めから撮影する複数指静脈認証装置の概略図である。
【図１６】携帯端末と読取装置とを用いた複数指静脈認証装置の概略図である。
【図１７】携帯端末を握り込むことで指の甲側の静脈パターンを撮影する複数指静脈認証装置の概略図である。
【符号の説明】
【００９２】
１  指、２  入力装置、９  撮像装置、１０  認証処理部、１２  メモリ、１３  インターフェイス、１４  記憶装置、１５  表示部、１６  入力装置、１７  スピーカ、１８  画像入力部、２３  光源、２３a   上部光源、２３b  下部光源、１０１  開口部、１０２  指先の指置き台、１０３  指根元の指置き台、１０４  側壁、１０５  光源支持部、１０６  間仕切り、１２０  指静脈画像、１２０a  指静脈画像の右領域、１２０b  指静脈画像の左領域、１５１  溝の凹部、１６１  指輪郭観測用開口部、１６２  指輪郭観測用撮像装置、１７０  輪郭を含む指静脈画像、１７１  輪郭を含まない指静脈画像、１７２  指輪郭観測用画像、１７３  指輪郭、１７４  指の中心軸、１８０  上蓋、１８１  指の位置合わせ用溝、２００  指表面観測用開口部、２０１  反射光源、２０２  指表面観測用撮像装置、２０３  ランプ、２１０  指静脈部分画像、２１１  指表面部分画像、２１２  合成指静脈画像  ２２０  光源支持部、３０１  携帯端末、３０３  メモリ、３０４  指提示用溝、３０５  無線通信ユニット、３０６  CPU、３１０  読み取り端末、３１１  指提示用溝、３１２  タッチセンサ、３１３  撮像装置、３１４  無線通信ユニット、３１５  CPU、３１６  ゲインコントローラ、４００  携帯端末、４０１  グリップ、１a  第一の指、２b  第二の指、402a  第一の指の静脈画像、40２b  第二の指の静脈画像。
【図１】
0005151396.tif 000002
【図２】
0005151396.tif 000003
【図３】
0005151396.tif 000004
【図４】
0005151396.tif 000005
【図５】
0005151396.tif 000006
【図６】
0005151396.tif 000007
【図７】
0005151396.tif 000008
【図８】
0005151396.tif 000009
【図９】
0005151396.tif 000010
【図１０】
0005151396.tif 000011
【図１１】
0005151396.tif 000012
【図１２】
0005151396.tif 000013
【図１３】
0005151396.tif 000014
【図１４】
0005151396.tif 000015
【図１５】
0005151396.tif 000016
【図１６】
0005151396.tif 000017
【図１７】
0005151396.tif 000018